(57)【特許請求の範囲】
【請求項１】
被操作部材に連結された上下動可能な軸部材と、
前記軸部材の長さ方向に対して傾斜したガイド部材と、
前記軸部材より大径のロック穴を有し、当該ロック穴を軸部材が貫通するロック部材と、
前記ロック部材を傾斜させて軸部材に食い込むように付勢する弾性部材と、
前記ロック部材が傾斜するための支点となる作用部を有し、前記軸部材及びガイド部材が貫通した状態でガイド部材に沿ってスライド移動するスライダーと、
前記ロック部材に当接してロック部材の軸部材への食い込みを解除する解除部及び前記スライダーに当接する当接部を有し、前記軸部材が貫通して軸部材に沿って移動する摺動駒とを備え、
前記ロック部材が軸部材に食い込むことにより前記スライダーのスライド移動がロックされ、前記摺動駒が移動することにより摺動駒がロック部材の軸部材への食い込みを解除し、スライダーが前記ガイド部材に沿ってスライド移動して前記軸部材が上下動することを特徴とするスライド操作装置。
【請求項２】
前記ガイド部材は、前記軸部材の長さ方向に沿って傾斜した状態で軸部材の長さ方向に沿って配置されるガイドレールと、このガイドレールと前記スライダーとの間に配置された複数のボールとを備えていることを特徴とする請求項１記載のスライド操作装置。
【請求項３】
前記ガイドレールが少なくとも２つの異なった角度で傾斜していることを特徴とする請求項２記載のスライド操作装置。
【請求項４】
前記摺動駒は軸部材に沿った移動の際に、前記解除部が軸部材へのロック部材の食い込みを解除した後、前記当接部がスライダーに当接してスライダーをスライド移動させることを特徴とする請求項１記載のスライド操作装置。
【請求項５】
前記被操作部材は、可動ルーバー窓のスラットであることを特徴とする請求項１記載のスライド操作装置。
【発明の詳細な説明】
【技術分野】
【０００１】
本発明は、可動ルーバー窓などに用いられるスライド操作装置に関する。
【背景技術】
【０００２】
可動ルーバー窓では、室内での操作によってスラットの開閉ができる一方、屋外のスラットに力が加わったときにスラットが開かないことが犯罪防止の観点から好ましい。特許文献１には、このような作動を可能とした従来の可動ルーバー窓の開閉操作装置が記載されている。
【０００３】
特許文献１記載の開閉操作装置は、スラットに連結された可動部材と、可動部材を上下方向に移動させる操作部材と、可動部材側に突出して係合するようにばね付勢されてロックを行うロック部材と、操作部材の上下方向への変位をロック部材の変位に変換する斜面と、ロック部材が突出したときにロック部材が入り込むノッチとを有している。この装置では、ロック部材がノッチに入り込んでいるため、屋外でスラットに外力が作用してもスラットが開閉作動することがないが、室内で操作部材を操作することにより、斜面によってロック部材がノッチに入ったり、出たりするため、スラットを回転させて角度調整を行うことが可能となっている。
【特許文献１】特開２００２−４７８６８号公報
【発明の開示】
【発明が解決しようとする課題】
【０００４】
特許文献１に記載された開閉操作装置では、スラットを開閉する可動部材に対して操作部材の操作力が直接に作用する構造となっている。このような構造では、ガラス板等からなる重たいスラットの場合、大きな操作力が必要となっており、操作性が悪い問題がある。
【０００５】
又、スラットの開閉角度が段階的であるため、細かな角度調整ができない不便さがある。又、スラットの開閉角度を変更する際に、ロック部材がノッチとの係合を繰り返すため、カチ、カチという雑音が発生し、静かな操作ができない問題がある。
【０００６】
本発明は、このような従来の問題点を考慮してなされたものであり、ガラス製等の重たいスラットであっても小さな操作力で操作することができ、又、スラット等を無段階で角度調整でき、さらには雑音の発生のない静かな作動を行うことが可能なスライド調整装置を提供することを目的とする。
【課題を解決するための手段】
【０００７】
請求項１記載の発明のスライド操作装置は、被操作部材に連結された上下動可能な軸部材と、前記軸部材の長さ方向に対して傾斜したガイド部材と、前記軸部材より大径のロック穴を有し、当該ロック穴を軸部材が貫通するロック部材と、前記ロック部材を傾斜させて軸部材に食い込むように付勢する弾性部材と、前記ロック部材が傾斜するための支点となる作用部を有し、前記軸部材及びガイド部材が貫通した状態でガイド部材に沿ってスライド移動するスライダーと、前記ロック部材に当接してロック部材の軸部材への食い込みを解除する解除部及び前記スライダーに当接する当接部を有し、前記軸部材が貫通して軸部材に沿って移動する摺動駒とを備え、前記ロック部材が軸部材に食い込むことにより前記スライダーのスライド移動がロックされ、前記摺動駒が移動することにより摺動駒がロック部材の軸部材への食い込みを解除し、スライダーが前記ガイド部材に沿ってスライド移動して前記軸部材が上下動することを特徴とする。
【０００８】
請求項１記載の発明では、ロック部材が軸部材に対して傾斜することにより、ロック部材が軸部材に食い込むため、スライダーのスライド移動がロックされ、被操作部材はその角度でロック状態となる。摺動駒が移動すると、ロック部材の軸部材への食い込みが解除され、しかもスライダーがガイド部材に沿ってスライド移動するため、軸部材が上下動して被操作部材の角度調整が可能となる。このとき、ガイド部材が傾斜しているため、被操作部材の重量がガイド部材の傾斜角度によって分解され、スライダーはその分力に打ち勝つだけの力でスライド移動できる。従って、小さな操作力で操作することが可能となる。
【０００９】
又、請求項１記載の発明では、ロック状態に対して、被操作部材に直接に外力が作用しても、ロック部材が軸部材に食い込んだロック状態であるため、被操作部材からの操作では角度調整ができない。さらに、被操作部材の角度調整はスライダーのスライド移動だけによって行われるため、雑音のない静かな作動となる。
【００１０】
請求項２記載の発明は、請求項１記載のスライド操作装置であって、前記ガイド部材は、前記軸部材の長さ方向に沿って傾斜した状態で軸部材の長さ方向に沿って配置されるガイドレールと、このガイドレールと前記スライダーとの間に配置された複数のボールとを備えていることを特徴とする。
【００１１】
請求項３記載の発明は、請求項２記載のスライド操作装置であって、前記ガイドレールが少なくとも２つの異なった角度で傾斜していることを特徴とする。
【００１２】
請求項４記載の発明は、請求項１記載のスライド操作装置であって、前記摺動駒は軸部材に沿った移動の際に、前記解除部が軸部材へのロック部材の食い込みを解除した後、前記当接部がスライダーに当接してスライダーをスライド移動させることを特徴とする。
【００１３】
請求項５記載の発明は、請求項１記載のスライド操作装置であって、前記被操作部材は、可動ルーバー窓のスラットであることを特徴とする。
【発明の効果】
【００１４】
本発明では、被操作部材の角度調整を行うためのスライダーのスライド移動が傾斜状のガイド部材に沿ってなされるため、小さな操作力で操作を行うことができる。又、被操作部材に直接に外力が作用しても、ロック部材が軸部材に食い込んだロック状態であるため、被操作部材からの操作では角度調整ができない。さらに、被操作部材の角度調整がスライダーのスライド移動だけによって行われるため、雑音のない静かな作動とすることができる。
【発明を実施するための最良の形態】
【００１５】
図１〜図１１は、本発明の第１実施形態を示し、図１はこの実施形態が適用された可動ルーバー窓の正面図、図２は側面図、図３は図１のＡ矢視の平面図、図４は図１のＢ矢視の側面図、図５は図１のＣ矢視の断面図、図６は図１のＤ−Ｄ線断面図、図７はスライド操作装置を右方向に操作した時の図５に相当する断面図、図８は図７の部分拡大断面図、図９はスラットを全開した状態の正面図、図１０は図９の側面図、図１１はロック部材の作用を説明する説明図である。
【００１６】
図１及び図２に示すように、可動ルーバー窓は複数のスラット１を有している。それぞれのスラット１は、スラット軸３に回転可能に取り付けられており、スラット軸３はルーバー窓の枠２に固定されている。それぞれのスラット１にはリンク４が取り付けられ、リンク４はピン５によって連結ロッド６に回転可能に取り付けられている。連結ロッド６は上下方向に延びており、スラット１の全てのリンク４が連結ロッド６に取り付けられている。
【００１７】
上記構造において、連結ロッド６が上下に移動すると、連結ロッド６の動きに同期してスラット１がスラット軸３を中心に回転する。図２において、連結ロッド６が上に移動すると、スラット１は反時計方向に回転して閉じた状態となり、連結ロッド６が下に移動すると、スラット１は時計方向に回転して開いた状態となる。この実施形態において、スラット１は被操作部材として機能する。
【００１８】
図１〜図５に示すように、この実施形態のスライド操作装置７は、ガイド部材の構成部材であるガイドレール９と、軸部材としてのシャフト１０と、摺動駒１１と、スライダー１２と、ロック部材としてのロックプレート１３と、弾性部材としての圧縮ばね１４と、操作レバー１５とを備えている。スライド操作装置７は屋内側に位置し、これに対しスラット１は屋外側に位置する。
【００１９】
シャフト１０は、左右方向に延びており、その両端部がルーバー窓の連結ロッド６に連結されている。すなわち、図２に示すようにシャフト１０の両端は連結ロッド６に設けられた長穴６ａに挿入され、ボルト１６により固定されることにより連結されている。シャフト１０は枠２に対して上下動可能となっており、シャフト１０が上下動することにより連結ロッド６が上下動する。
【００２０】
ガイドレール９は、図１に示すようにシャフト１０の長さ方向に沿って配置される。ガイドレール９はシャフト１０の長さ方向に対して傾斜して配置されるものであり、その両端部がナット８により枠２に固定される。この実施形態では、ガイドレール９は右下がりとなるように傾斜している。
【００２１】
スライダー１２にはガイドレール９及びシャフト１０が貫通する（図５参照）。ガイドレール９が貫通するための長穴１２ａがスライダー１２の上部に形成されている。ガイドレール９は図６に示すように、矩形断面となっており、長穴１２ａはガイドレール９と同じ矩形断面に形成されている。このようなスライダー１２はガイドレール９に沿ってスライド移動可能となっている。そして、スライダー１２がスライド移動すると、スライダー１２に貫通した状態のシャフト１０が上下動する。
【００２２】
この実施形態において、ガイドレール９及びボール１８によってガイド部材が構成される。ボール１８はガイドレール９とスライダー１２との間に配置されるものであり、図６に示すように、ガイドレール９の両外面にはボール用の半球状の溝９ａが４箇所に形成され、スライダー１２の内面には同様の半球状の凹み部１２ｂが形成されている。これらの半球状の溝９ａ、１２ｂは、ガイドレール９及びスライダー１２の長さ方向に沿って複数が設けられており、それぞれにボール１８が挿入される。
【００２３】
図５に示すように、スライダー１２の下部は、２叉に分岐して一対の脚部２１，２２となっている。一対の脚部２１，２２は対向しており、その対向面には下方に向かって相互に離れる方向に傾斜した斜面２１ａ，２２ａが形成されている。それぞれの斜面２１ａ，２２ａの頂点は、後述するロックプレート１３を傾斜させるための支点としての作用部２１ｂ、２２ｂとなる。脚部２１，２２の下部には、シャフト１０が貫通するためのシャフト穴２１ｃ、２２ｃが形成されている。
【００２４】
ロックプレート１３は、スライダー１２の脚部２１，２２と対応するように一対が設けられる。図８に示すように、それぞれのロックプレート１３にはシャフト１０の径よりも僅かに大きな径のロック穴１３ａが開設されており、ロック穴１３ａにシャフト１０が貫通する。一対のロックプレート１３の間には、シャフト１０が挿入された圧縮ばね１４が配置される。一対のロックプレート１３は圧縮ばね１４を挟んだ状態でスライダー１２の脚部２１，２２の対向面に配置される。それぞれのロックプレート１３は、圧縮ばね１４のばね力によりスライダー１２の作用部２１ｂ，２２ｂを支点として斜面２１ａ，２２ａと同じ方向に傾斜し、この傾斜によりロック穴１３ａのエッジ１３ｂ、１３ｃがシャフト１０に食い込む。ロック穴１３ａのエッジ１３ｂ、１３ｃがシャフト１０に食い込むことにより、スライダー１２のスライド移動がロックされる。
【００２５】
摺動駒１１は図５に示すように、底面及び底面から起立する側面を備えた箱型形状となっており、底面の外側が操作レバー１５に連結されている。摺動駒１１にはシャフト１０が貫通しており、摺動駒１１はシャフト１０の長さ方向に沿って移動可能となっている。底面における対向面は、ロックプレート１３に当接してロックプレート１３のシャフト１０への食い込みを解除する解除部１１ａ，１１ｂとなっている。底面から起立している側面は、スライダー１２の脚部２１，２２の外側に位置しており、脚部２１，２２に当接する当接部１１ｃ、１１ｄとなっている。
【００２６】
操作レバー１５は摺動駒１１の底面に対してスナップフィットさせることにより摺動駒１１に連結されている（図５参照）。従って、操作レバー１５を左右方向に移動させることにより、摺動駒１１に対してその方向への移動力が作用する。
【００２７】
次に、この実施形態の作動を説明する。図５は圧縮ばね１４のばね力によってロックプレート１３がシャフト１０に食い込んだロック状態であり、この状態においては、摺動駒１１の解除部１１ａ、１１ｂとロックプレート１３との間の隙間Ｌ１は、摺動駒１１の当接部１１ｃ、１１ｄとスライダー１２との間の隙間Ｌ２よりも小さくなるように設定されている。
【００２８】
図５の状態において、室内での操作によってスラット１を開閉する場合、操作レバー１５を右方向に移動させる。右方向への移動により、まず、摺動駒１１の左側の解除部１１ａが対応しているロックプレート１３と接触する。図７及び図８は、操作レバー１５をさらに右方向に動かした状態であり、摺動駒１１の左側の解除部１１ａによって押された左側のロックプレート１３はスライダー１２の右側の作用部２１ｂを支点として反時計方向に回転する。これにより、ロックプレート１３のロック穴１３ａのエッジ１３ｂ、１３ｃがシャフト１０への食い込みから離脱し、スライダー１２のロックが解除される。この場合、Ｌ１＜Ｌ２に設定されているため、上述した解除は摺動駒１１の左側の当接部１１ｃがスライダー１２の脚部２１に接触する前に行われる。
【００２９】
操作レバー１５をさらに右方向に動かすと、摺動駒１１の左側の当接部１１ｃとスライダー１２との隙間がなくなるため、当接部１１ｃがスライダー１２を押し始める。このとき、左側のロックプレート１３は解除部１１ａと作用部２１ｂと圧縮ばね１４とによってロック解除状態を保持されているため、左側のロックプレート１３は操作レバー１５の動き、すなわちスライダー１２の右方向へのスライド移動に追随して左方向に動く。なお、右側のロックプレート１３は、スライダー１２の右側の作用部２２ｂが離れるため、ロック方向に傾斜する支点を失いロック解除状態となる。
【００３０】
以上のように、一対のロックプレート１３の双方がロック解除状態となるため、操作レバー１５及びスライダー１２は右方向にスムーズに移動することができる。スライダー１２が右方向にスライド移動すると、スライダー１２がガイドレール９によってガイドされているため、スライド操作装置７の全体がガイドレール９に沿って右下方向に動く。この動きによりシャフト１０は下方向に移動し、シャフト１０に連結されている連結ロッド６も図９及び図１０に示すように下方向に移動する。連結ロッド６が下方に移動すると、スラット１はスラット軸３を中心に時計方向に回転してスラット１の開き作動が行われる。
【００３１】
スラット１を閉めるときは、操作レバー１５を左方向に移動させる。この移動により、右側のロックプレート１３が上述したと同じような作動によってロック解除され、次に左側のロックプレート１３が支点を失ってロック解除される。従って、操作レバー１５をスムーズに左側に移動させることができる。スライダー１２は操作レバー１５と一体となって左方向に移動する。スライダー１２の移動はガイドレール９に沿ってガイドレール９を左上方向に動く。スライダー１２が左上方向に動くと連結ロッド６が上方向に移動するため、スラット１はスラット軸３を中心に反時計方向に回転してスラット１の閉じ作動が行われる。この場合、操作レバー１５を左方向に移動させる時には、スラット１の自重によってシャフト１０に上方向の力が加わっているため、小さな力で操作レバー１５を移動させることができる。
【００３２】
以上のスラット１の開閉操作に続いて操作レバー１５から手を離すと、圧縮ばね１４のばね力によりロックプレート１３がシャフト１０に食い込んでスライダー１２の移動がロックされる。このため、シャフト１０の上下動が停止してスラット１の回転が停止する。これにより、スラット１がその角度で保持される。
【００３３】
上記作動におけるロック部材の作用を図２及び図１１により説明する。図２に示すように、スラット１の自重Ｆ１は連結ロッド６に対して上向きの力となって作用する。この自重Ｆ１はガイドレール９が傾斜しているため、図１１に示すように傾斜している斜面Ｓに垂直の力Ｆ２と斜面Ｓに沿った力Ｆ３とに分解される。この実施形態では、ガイドレール９とスライダー１２との間に複数のボール１８が配置されており、このボール１８はスライダー１２がスライド移動する際に、ガイドレール９とスライダー１２との間で転がる。このため、斜面Ｓとボール１８の間の摩擦抵抗が直接摺動の際の摩擦抵抗に比べて極めて小さくなる。これにより、力Ｆ２による抵抗も無視することが可能な程度に小さくなるため、Ｆ１＞Ｆ３となる。スライダー１２に対しては、小さな力Ｆ３に打ち勝つ力を作用させることによりガイドレール９に沿ったスライド移動が可能となるため、小さな力Ｆ３だけでスラット１を回転させることができ、スラット１の角度調整を小さな操作力で行うことができる。従って、ガラス製の重たいスラットであっても小さな力で角度調整操作が可能となる。ここで、スライダー１２のスライド移動のための力Ｆ３をさらに小さくする必要がある場合には、ガイドレール９の傾きをさらに小さくすることにより可能である。
【００３４】
本発明においては、ボール１８を省略することも可能である。ボール１８を省略した場合のスライダー１２の操作力は、Ｆ３＋Ｆ２による抵抗力（Ｆ２×摩擦抵抗）となるが、この場合においても、Ｆ１＞Ｆ３＋Ｆ２による抵抗力であるところから、十分に小さな力でスライダー１２を操作することができる。
【００３５】
図２は、スラット１を完全に閉めた状態であり、この状態に対し、室外でスラット１に直接力を加えて開けようとする場合、すなわち室外でスラット１をスラット軸３回りに時計方向に回転させようとする場合には、連結ロッド６に下方向の力が作用する。この力はボルト１６を介してシャフト１０に下方向への下げ力となる。シャフト１０が下方向に移動する際には、スライダー１２がガイドレール９に沿って右下方向へ動くため、スライダー１２の左側の作用部２１ｂが左側のロックプレート１３を時計方向に回転させ、ロックプレート１３がシャフト１０に対して傾いてロック穴１３ａのエッジ１３ｂ、１３ｃがシャフト１０に食い込む。これにより、ロックプレート１３によるロックが行われる。スラット１への力がさらに強くなり、スライダー１２を右方向に移動させる力がさらに強くなると、ロックプレート１３がシャフト１０に食い込む力が強くなってロック力が大きくなる。従って、室外でスラット１を開くことはできない。
【００３６】
開き状態のスラット１を室外で閉めようとした場合は、シャフト１０に上方向への力が加わってスライダー１２がガイドレール９に沿って左上方向に動こうとするため、右側のロックプレート１３が上述と同様にしてシャフト１０に食い込んでロックされる。以上により、スラット１に対しては室外から開閉操作することができない。
【００３７】
以上の作動では、スラット１の角度調整がスライダー１２のスライド移動だけによって行われる。このため、スラット１の角度調整を無段階で行うことができると共に雑音のない静かな作動を行うことができる。
【００３８】
図１２は本発明の第２実施形態を示す。この実施形態では、ガイドレール９が２つの異なった角度で傾斜した形状となっている。すなわち、ガイドレール９は第１レール部９ｃと、第１レール部９ｃの終端から連設した第２レール部９ｄとによって形成されている。第１レール部９ｃはシャフト１０の長さ方向に対してある程度大きな角度で傾斜しており、第２レール部９ｄは第１レール部９ｃよりも小さな角度で傾斜している。第１レール部９ｃはスラット１を開く当初の小さな荷重に対応し、第２レール部９ｄはスラット１がある程度開いた際の大きな荷重に対応している。このように２つの角度で傾斜したガイドレール９では、スラット１の開き状態が変化しても一定の操作力で操作できるメリットがある。
【００３９】
本発明は以上の実施形態に限定されることなく種々変形が可能である。例えば、ロックプレート１３を付勢する弾性部材としては、複数の皿ばねを重ねて形成しても良い。又、本発明は可動ルーバー窓以外の装置に適用することができる。
【図面の簡単な説明】
【００４０】
【図１】本発明の第１実施形態が適用された可動ルーバー窓の正面図である。
【図２】可動ルーバー窓の側面図である。
【図３】図１のＡ矢視平面図である。
【図４】図１のＢ矢視側面図である。
【図５】図１のＣ矢視断面図である。
【図６】図１のＤ−Ｄ線断面図である。
【図７】操作レバーを右方向に操作したときの断面図である。
【図８】図７の部分拡大断面図である。
【図９】スラットを全開した状態の正面図である。
【図１０】図９の側面図である。
【図１１】ロック部材の作用を説明する説明図である。
【図１２】本発明の第２実施形態が適用された可動ルーバー窓の正面図である。
【符号の説明】
【００４１】
１  スラット
３  スラット軸
７  スライド操作装置
９  ガイドレール
１０  シャフト
１１  摺動駒
１１ａ，１１ｂ  解除部
１１ｃ、１１ｄ  当接部
１２  スライダー
１３  ロックプレート
１４  圧縮ばね
１５  操作レバー
２１、２２  脚部
２１ｂ、２２ｂ  作用部
【図１】
0004892762.tif 000002
【図２】
0004892762.tif 000003
【図３】
0004892762.tif 000004
【図４】
0004892762.tif 000005
【図５】
0004892762.tif 000006
【図６】
0004892762.tif 000007
【図７】
0004892762.tif 000008
【図８】
0004892762.tif 000009
【図９】
0004892762.tif 000010
【図１０】
0004892762.tif 000011
【図１１】
0004892762.tif 000012
【図１２】
0004892762.tif 000013